(57)【要約】【課題】大型化することなく出力電圧を高めることができる発電機を提供すること。【解決手段】発電機１は、固定子２０と、回転子４０と、前記回転子４０及び前記固定子２０のいずれか一方に固定される複数のコイル３０，３０，・・・と、前記回転子４０及び前記固定子２０の他方に固定される磁石部材５０と、１つの前記コイル３０から出力される電圧の実効値よりも大きな実効値となるように、複数の前記コイル３０，３０，・・・のうちから選択された複数の前記コイル３０，３０，・・・を直列に接続する第１配線部６０と、前記第１配線部６０によって接続された複数の前記コイル３０，３０，・・・から得られる電圧を出力する第１出力部７０と、を備える。【選択図】図４
2018074718.tif 000002
【特許請求の範囲】
【請求項１】
固定子と、
回転子と、
前記回転子及び前記固定子のいずれか一方に固定される複数のコイルと、
前記回転子及び前記固定子の他方に固定される磁石部材と、
１つの前記コイルから出力される電圧の実効値よりも大きな実効値となるように、複数の前記コイルのうちから選択された複数の前記コイルを直列に接続する第１配線部と、
前記第１配線部によって接続された複数の前記コイルから得られる電圧を出力する第１出力部と、
を備える発電機。
【請求項２】
前記第１出力部が入力側に接続されることにより、前記第１配線部によって直列に接続された前記コイルの出力を整流する第１整流器を更に備える請求項１に記載の発電機。
【請求項３】
前記第１配線部によって接続されていない前記コイルのうち、１つの前記コイルから出力される電圧の実効値よりも大きな実効値となるように選択された複数の前記コイルを直列に接続する第２配線部と、
前記第２配線部によって接続された複数の前記コイルから得られる電圧を出力する第２出力部と、
を更に備える請求項２に記載の発電機。
【請求項４】
前記第２出力部が入力側に接続されることにより、第２配線部によって直列に接続された前記コイルの出力を整流する第２整流器を更に備える請求項３に記載の発電機。
【請求項５】
前記第１整流器の出力側は、第２整流器の出力側と直列に接続される請求項４に記載の発電機。
【発明の詳細な説明】
【技術分野】
【０００１】
本発明は、発電機に関する。
【背景技術】
【０００２】
従来より、車載される小型の発電機が知られている。これらの発電機では、固定子及び回転子（電機子）のいずれか一方に固定されたコイルに対し、他方に取り付けられた磁石部材を相対的に回転させることにより磁界（磁束密度）を変化させている。変化した磁界（磁束密度）により、コイルが励起して電力が出力される。
【０００３】
ところで、このような発電機の一種としてダイナモが知られている。ダイナモは、コイル又は磁石部材を相対的に回転させることにより発生した交流電圧を、整流子を用いて直流電圧に変換するものである。このようなダイナモとして、例えば、自転車のライトの発電機が提案されている（例えば、特許文献１参照）。
【先行技術文献】
【特許文献】
【０００４】
【特許文献１】特開２００８−１１０６４３号公報
【発明の概要】
【発明が解決しようとする課題】
【０００５】
提案された自転車用の発電機では、自転車の速度に応じて巻き数の異なるコイルを切り替えることにより、発光ダイオードが適切な光度で光るように出力電圧を調整している。このように、巻き数を異ならせることにより出力電圧を変更することが可能であるが、より大きな出力電圧を得るためには、より巻き数を増やす必要があった。このため、発電機が大型化するきらいがあった。
【０００６】
本発明は、大型化することなく出力電圧を高めることができる発電機を提供することを目的とする。
【課題を解決するための手段】
【０００７】
本発明は、固定子と、回転子と、前記回転子及び前記固定子のいずれか一方に固定される複数のコイルと、前記回転子及び前記固定子の他方に固定される磁石部材と、１つの前記コイルから出力される電圧の実効値よりも大きな実効値となるように、複数の前記コイルのうちから選択された複数の前記コイルを直列に接続する第１配線部と、前記第１配線部によって接続された複数の前記コイルから得られる電圧を出力する第１出力部と、を備える発電機に関する。
【０００８】
また、本発明に係る発電機は、前記第１出力部が入力側に接続されることにより、前記第１配線部によって直列に接続された前記コイルの出力を整流する第１整流器を更に備えることが好ましい。
【０００９】
また、本発明に係る発電機は、前記第１配線部によって接続されていない前記コイルのうち、１つの前記コイルから出力される電圧の実効値よりも大きな実効値となるように選択された複数の前記コイルを直列に接続する第２配線部と、前記第２配線部によって接続された複数の前記コイルから得られる電圧を出力する第２出力部と、を更に備えることが好ましい。
【００１０】
また、本発明に係る発電機は、前記第２出力部が入力側に接続されることにより、第２配線部によって直列に接続された前記コイルの出力を整流する第２整流器を更に備えることが好ましい。
【００１１】
また、前記第１整流器の出力側は、第２整流器の出力側と直列に接続されてもよい。
【発明の効果】
【００１２】
本発明によれば、大型化することなく出力電圧を高めることができる発電機を提供することができる。
【図面の簡単な説明】
【００１３】
【図１】本発明の一実施形態に係る発電機のうち、板部材の一方を外した状態にある発電機を示す平面図である。
【図２】本実施形態の発電機を示す側面図である。
【図３】本実施形態の発電機を示す分解斜視図である。
【図４】本実施形態の発電機を示す回路図である。
【図５】本実施形態の発電機の第１出力部から出力される電圧を示す模式図である。
【図６】本実施形態の発電機の第１整流器によって整流される電圧を示す模式図である。
【図７】本実施形態の発電機の第１整流器及び第２整流器を直列に接続したことにより得られる電圧を示す模式図である。
【図８】本実施形態に係る発電機の平面図であり、第２実施例を説明するための図である。
【図９】本実施形態の変形例の発電機を示す側面図である。
【発明を実施するための形態】
【００１４】
以下、本発明に係る発電機の一実施形態について図１〜８を参照して説明する。
【００１５】
本実施形態に係る発電機１は、例えば、自転車や乗用車等に搭載される小型の発電機１であり、エンジンの回転や、車輪の回転、又は、その他の回転エネルギーを用いて発電する。発電機１は、発電した電力を外部に出力することができるようになっている。
【００１６】
図１〜４に示すように、本実施形態に係る発電機１は、一対の板部材１０，１０と、固定子２０と、複数のコイル３０，３０，・・・と、回転子４０と、磁石部材５０と、第１配線部６０と、第１出力部７０と、第１整流器８０と、第２配線部９０と、第２出力部１００と、第２整流器１１０と、を備える。
【００１７】
一対の板部材１０，１０は、それぞれの板面１０Ａ同士が略平行に配置される。また、一対の板部材１０，１０のそれぞれは、対向する板面１０Ａに開口をもつ断面円形の穴部１１が形成される。穴部１１は、対向配置された一対の板部材１０，１０において、対向する板面１０Ａに略垂直な直線上に軸方向が重なるように形成される。本実施形態において、穴部１１は、一対の板部材１０，１０のそれぞれを厚さ方向に貫通する貫通孔として形成される。
【００１８】
固定子２０は、略円環状に形成され、一対の板部材１０，１０の対向する板面１０Ａ同士の間の距離と略同じ幅により形成される。本実施形態において、固定子２０は、正面視正１２角形状に形成される。
【００１９】
複数のコイル３０，３０，・・・のそれぞれは、自身の軸方向を固定子２０の径方向に向けた上で、自身の軸方向の一端が固定子２０の外面に固定される。本実施形態において、複数のコイル３０，３０，・・・のそれぞれは、正面視正１２角形に形成された固定子２０の辺を形成する外面に個別に固定される。したがって、本実施形態において、複数のコイル３０，３０，・・・は、１２個設けられる。なお、本実施形態では、複数のコイル３０，３０，・・・が、固定子２０に固定されるとしたが、回転子４０に固定されてもよい。
【００２０】
以上のような一対の板部材１０，１０、固定子２０、及び、複数のコイル３０，３０，・・・によれば、一対の板部材１０，１０のそれぞれは、対向配置される板面１０Ａ側を互いに近づけて固定子２０の幅方向を挟み込むことにより、対向する板面１０Ａ同士の距離が決定される。また、一対の板部材１０，１０のそれぞれは、対向する板面１０Ａに固定子２０の幅方向両端面が固定されることにより相対的に位置固定される。また、複数のコイル３０，３０，・・・のそれぞれは、一対の板部材１０，１０の間に配置される。
【００２１】
回転子４０は、軸部４１と、回転子本体４２と、を備える。
軸部４１は、一対の板部材１０，１０に形成された穴部１１に挿通可能な径で断面円形の棒状に形成される。また、軸部４１は、一対の板部材１０，１０のそれぞれの穴部１１に挿入可能な長さで形成される。本実施形態において、軸部４１は、自転車の車軸や、乗用車のエンジンシャフト等に接続されることにより、軸心周りに回転することができる。
【００２２】
回転子本体４２は、軸位置に軸部４１と同径の貫通孔４３をもつ略円柱状に形成され、貫通孔４３に挿通された軸部４１の中途部に固定される。したがって、回転子本体４２は、その両側面４２Ａ（軸部４１の径方向に沿う面）のそれぞれから軸部４１の両端部が突出した状態で、軸部４１に固定される。また、回転子本体４２は、側面４２Ａが平面として形成される。このような回転子本体４２は、固定子２０の内面側の径（内径）よりも小さな外径で形成される。また、回転子本体４２は、固定子２０の幅よりも小さな幅（高さ）で形成される。回転子本体４２は、板部材１０の板面１０Ａと略平行になるように軸部４１に固定される。本実施形態において、回転子本体４２は、正面視正１０角形状に形成される。
【００２３】
磁石部材５０は、複数設けられる永久磁石であり、回転子本体４２のそれぞれの辺を構成する外面に装着される。したがって、本実施形態において、磁石部材５０は、１０個設けられる。なお、本実施形態において、磁石部材５０は、回転子４０に固定されるとしたが、固定子２０に固定されてもよい。
【００２４】
以上のような回転子４０及び磁石部材５０によれば、軸部４１は、両端部のそれぞれが一対の板部材１０，１０の穴部１１に挿入されることにより、穴部１１の内面に接触する。回転子本体４２は、軸部４１が軸心周りに回転することにより、回転子本体４２も軸心周りに回転することができる。また、回転子本体４２は、固定子２０の内面側の径（内径）よりも小さい外径をもち、また、固定子２０の幅よりも小さい幅（高さ）をもつことにより、固定子２０の内面及び一対の板部材１０，１０によって囲まれた領域に収容され得る。そして、回転子本体４２が回転することにより、磁石部材５０は、複数のコイル３０，３０，・・・のそれぞれの磁界（磁束密度）を変化させることにより、各コイル３０から電力（電圧）が出力される。
【００２５】
図４に示すように、第１配線部６０は、コイル３０を直列に接続する。具体的には、第１配線部６０は、１つのコイル３０から出力される電圧の実効値よりも大きな実効値となるように、複数のコイル３０，３０，・・・のうちから選択された複数のコイル３０，３０，・・・を直列に接続する。したがって、第１配線部６０は、選択されたコイル３０の数に合わせて少なくとも１つ設けられる。例えば、本実施形態において、１２個のコイルについて、２つの群として６個ずつのコイルが選択される。それぞれの群は、１つのコイルの出力電圧の実効値よりも、６つのコイルの合成した出力電圧の実効値が大きくなるように選択される。第１配線部６０は、選択された６つのコイルを直列に接続する。
【００２６】
第１出力部７０は、一対の配線によって構成され、第１配線部６０によって直列に接続された複数のコイル３０，３０，・・・から合成された電圧を出力可能なように接続される。つまり、第１出力部７０は、第１配線部６０によって直列に接続されている複数のコイル３０，３０，・・・の巻線の両端のうち、第１配線部６０に接続されていない両端にそれぞれ接続される。
【００２７】
第１整流器８０は、ダイオードやサイリスタ等を用いて構成される。第１整流器８０は、入力側に第１出力部７０が接続される。これにより、第１整流器８０は、第１配線部６０によって直列に接続された複数のコイル３０，３０，・・・の合成された出力が入力側に入力される。第１整流器８０は、第１配線部６０によって接続された複数のコイル３０，３０，・・・の合成された出力を整流して、出力側に出力する。
【００２８】
以上のような第１配線部６０、第１出力部７０、及び、第１整流器８０によれば、回転子本体４２の回転に伴って磁石部材５０が回転することにより、第１配線部６０によって直列に接続されている複数のコイル３０，３０，・・・のそれぞれに磁界（磁束密度）の変化が発生する。これにより、複数のコイル３０，３０，・・・には、誘導起電力が発生する。第１配線部６０がコイル３０から発生した誘導起電力を合成することにより、第１出力部７０は、複数のコイル３０，３０，・・・の誘導起電力を合成した電圧を出力する。第１整流器８０は、第１出力部７０によって出力された電圧を整流するので、負となる電圧を正側に反転させることができる。すなわち、第１整流器８０は、直流化した電圧を出力することができる。
【００２９】
第２配線部９０は、第１配線部６０によって接続されていないコイル３０のうち、１つのコイル３０から出力される電圧の実効値よりも大きな実効値となるように選択された複数のコイル３０，３０，・・・を直列に接続する。したがって、第２配線部９０は、選択されたコイル３０の数に合わせて少なくとも１つ設けられる。
【００３０】
第２出力部１００は、一対の配線によって構成され、第２配線部９０によって直列に接続された複数のコイル３０，３０，・・・から合成された電圧を出力可能なように接続される。つまり、第２出力部１００は、第２配線部９０によって直列に接続されている複数のコイル３０，３０，・・・の巻線の両端のうち、第２配線部９０に接続されていない両端にそれぞれ接続される。
【００３１】
第２整流器１１０は、ダイオードやサイリスタ等を用いて構成される。第２整流器１１０は、入力側に第２出力部１００が接続される。これにより、第２整流器１１０は、第２配線部９０によって直列に接続された複数のコイル３０，３０，・・・の合成された出力が入力側に入力される。第２整流器１１０は、第２配線部９０によって接続された複数のコイル３０，３０，・・・の合成された出力を整流して、出力側に出力する。第２整流器１１０の出力側は、第１整流器８０の出力側と直列に接続される。
【００３２】
以上のような第２配線部９０、第２出力部１００、及び、第２整流器１１０によれば、回転子本体４２の回転に伴って磁石部材５０が回転することにより、第２配線部９０によって直列に接続されている複数のコイル３０，３０，・・・のそれぞれに磁界（磁束密度）の変化が発生する。これにより、複数のコイル３０，３０，・・・には、誘導起電力が発生する。第２配線部９０がコイル３０から発生した誘導起電力を合成することにより、第２出力部１００は、複数のコイル３０，３０，・・・の誘導起電力を合成した電圧を出力する。第２整流器１１０は、第２出力部１００によって出力された電圧を整流するので、負となる電圧を正側に反転させることができる。すなわち、第２整流器１１０は、直流化した電圧を出力することができる。
【００３３】
また、以上のような第１整流器８０及び第２整流器１１０によれば、第１整流器８０は、出力側が、第２整流器１１０の出力側と直列に接続される。これにより、第１整流器８０によって整流された複数のコイル３０，３０，・・・の出力と、第２整流器１１０によって整流された複数のコイル３０，３０，・・・の出力とが合成される。したがって、第１整流器８０及び第２整流器１１０のいずれか一方によって出力される電圧よりも、より大きな電圧が出力される。
【００３４】
以上のような発電機１は、以下のように用いられる。
まず、自転車の車軸や、乗用車のモータ等が回転することにより、軸部４１が軸心周りに回転する。これにより、回転子本体４２は、軸部４１に併せて回転する。また、磁石部材５０が、回転子本体４２に併せて回転する。磁石部材５０が回転することにより、固定子２０に取り付けられている複数のコイル３０，３０，・・・のそれぞれには、磁界（磁束密度）の変化が発生する。
【００３５】
複数のコイル３０，３０，・・・のそれぞれは、磁界（磁束密度）の変化により、誘導起電力を発生する。第１配線部６０は、複数のコイル３０，３０，・・・のうち、自身が接続しているコイル３０に発生した誘導起電力を合成する。第１配線部６０は、合成した誘導起電力を第１出力部７０に出力する。第１出力部７０は、合成した誘導起電力を第１整流器８０に入力する。第１整流器８０は、入力された誘導起電力を整流する。
【００３６】
第２配線部９０は、複数のコイル３０，３０，・・・のうち、自身が接続しているコイル３０に発生した誘導起電力を合成する。第２配線部９０は、合成した誘導起電力を第２出力部１００に出力する。第２出力部１００は、合成した誘導起電力を第２整流器１１０に入力する。第２整流器１１０は、入力された誘導起電力を整流する。第１整流器８０及び第２整流器１１０は、それぞれが整流した誘導起電力を合成して出力する。
【００３７】
（第１実施例）
以下、本実施形態に係る発電機１の第１実施例を説明する。
図４に示すように、本実施例に係る第１配線部６０は、３つの順巻きのコイル３０，３０，３０と、３つの逆巻きのコイル３０，３０，３０とを１つずつ交互に接続して構成される。また、本実施例に係る第２配線部９０は、３つの順巻きのコイル３０，３０，３０と、３つの逆巻きのコイル３０，３０，３０とを１つずつ交互に接続して構成される。
【００３８】
そして、第１出力部７０が、第１配線部６０によって接続された複数のコイル３０，３０，・・・の出力として接続される。また、第２出力部１００が、第２配線部９０によって接続された複数のコイル３０，３０，・・・の出力として接続される。これにより、個々のコイル３０から出力される電圧に対し、第１出力部７０及び第２出力部１００のそれぞれから出力される電圧は、図５に示すように、個々のコイル３０よりも大きな電圧の波形を示す。
【００３９】
第１整流器８０は、第１出力部７０から出力された電圧を整流する。また、第２整流器１１０は、第２出力部１００から出力された電圧を整流する。これにより、第１整流器８０及び第２整流器１１０のそれぞれから出力される電圧は、図６に示すような、負の電圧が時間軸に対して反転されて正の電圧となる波形を示す。
【００４０】
第１整流器８０の出力及び第２整流器１１０の出力が直列に接続されていることにより、第１整流器８０の出力及び第２整流器１１０の出力は合成される。これにより、第１整流器８０及び第２整流器１１０から出力されて合成された電圧は、図７に示すように、第１整流器８０及び第２整流器１１０から出力される電圧に対して２倍となる電圧が出力される。
【００４１】
（第２実施例）
次に、本実施形態に係る発電機１の第２実施例を説明する。
図８に示すように、軸部４１の周方向に沿って等間隔で１２個のコイル３０を配置した。そして、１２個のコイル３０を時計回りにコイル３０１〜コイル３１２とした。
【００４２】
コイル３０１を基準として、正弦波の振幅をＡ、角速度をω、時間をｔとするとき、それぞれの正弦波は、下記で表される。
コイル３０１： y = A sin ( ωt ) 
コイル３０２： y = A sin ( ωt ＋ ３０° ) 
コイル３０３： y = A sin ( ωt ＋ ６０° ) 
コイル３０４： y = A sin ( ωt ＋ ９０° ) 
コイル３０５： y = A sin ( ωt ＋ １２０° ) 
コイル３０６： y = A sin ( ωt ＋ １５０° ) 
コイル３０７： y = A sin ( ωt ＋ １８０° ) 
コイル３０８： y = A sin ( ωt ＋ ２１０° ) 
コイル３０９： y = A sin ( ωt ＋ ２４０° ) 
コイル３１０： y = A sin ( ωt ＋ ２７０° ) 
コイル３１１： y = A sin ( ωt ＋ ３００° ) 
コイル３１２： y = A sin ( ωt ＋ ３３０° ) 
【００４３】
コイル３０１〜コイル３０６（６個）の出力の総和は、下記のように示される。
【数１】
2018074718.tif 000003
ここで、ωt＝αとして、加法定理より、
【数２】
2018074718.tif 000004
以上のように、１つのコイル３０から取り出す電圧の実効値よりも出力の総和を大きくすることができる。
【００４４】
コイル３０１〜コイル３０３（３個）の出力の総和は、下記のように示される。
【数３】
2018074718.tif 000005
ここで、ωt＝αとして、加法定理より、
【数４】
2018074718.tif 000006
以上のように、１つのコイル３０から取り出す電圧の実効値よりも出力の総和を大きくすることができる。
【００４５】
コイル３０１〜コイル３０４（４個）の出力の総和は、（ｂ）＋コイル３０４の出力であり、次式で表すことができる。
【数５】
2018074718.tif 000007
以上のように、１つのコイル３０から取り出す電圧の実効値よりも出力の総和を大きくすることができる。
【００４６】
コイル３０１〜コイル３０５（５個）の出力の総和は、（ｃ）＋コイル３０５の出力であり、次式で表すことができる。
【数６】
2018074718.tif 000008
以上のように、１つのコイル３０から取り出す電圧の実行値よりも出力の総和を大きくすることができる。
【００４７】
コイル３０１〜コイル３０７（７個）の出力の総和は、（ａ）＋コイル３０７の出力であり、次式で表すことができる。
【数７】
2018074718.tif 000009
以上のように、１つのコイル３０から取り出す電圧の実行値よりも出力の総和を大きくすることができる。
【００４８】
コイル３０１〜コイル３０８（８個）の出力の総和は、（ｄ）＋コイル３０８の出力であり、次式で表すことができる。
【数８】
2018074718.tif 000010
以上のように、１つのコイル３０から取り出す電圧の実行値よりも出力の総和を大きくすることができる。
【００４９】
コイル３０１〜コイル３０９（９個）の出力の総和は、（ｅ）＋コイル３０９の出力であり、次式で表すことができる。
【数９】
2018074718.tif 000011
以上のように、１つのコイル３０から取り出す電圧の実行値よりも出力の総和を大きくすることができる。
【００５０】
コイル３０１〜コイル３１０（１０個）の出力の総和は、（ｆ）＋コイル３１０の出力であり、次式で表すことができる。
【数１０】
2018074718.tif 000012
以上のように、１つのコイル３０から取り出す電圧の実行値よりも出力の総和を大きくすることができる。
【００５１】
コイル３０１〜コイル３１１（１１個）の出力の総和は、（ｇ）＋コイル３１１の出力であり、次式で表すことができる。
【数１１】
2018074718.tif 000013
以上のように、１つのコイル３０から取り出す電圧の実行値よりも出力の総和を大きくすることができる。
【００５２】
次に、第２実施例に対する比較例を示す。
コイル３０１〜コイル３１２（１２個）の出力の総和は、（ｈ）＋コイル３１２の出力であり、次式で表すことができる。
【数１２】
2018074718.tif 000014
以上のように、１つのコイル３０から取り出す電圧の実行値よりも出力の総和が小さくなることがわかった。
【００５３】
以上説明した一実施形態の発電機１によれば、以下のような効果を奏する。
（１）回転子４０及び固定子２０のいずれか一方に複数のコイル３０，３０，・・・を固定し、他方に磁石部材５０を固定した。そして、１つのコイル３０から出力される電圧の実効値よりも大きな実効値となるように、複数のコイル３０，３０，・・・の全体から選択された複数のコイル３０，３０，・・・を、第１配線部６０により直列に接続した。また、第１配線部６０によって接続された複数のコイル３０，３０，・・・から得られる電圧を出力する第１出力部７０を設けた。これにより、発電機１を増やしたり、大型化したりすることなく、取り出せる電圧の実効値を１つのコイル３０，３０，・・・から出力する場合に比べて大きくすることができる。
【００５４】
（２）第１配線部６０が入力側に接続されることにより、第１配線部６０によって直列に接続されたコイル３０の出力を整流する第１整流器８０を設けた。これにより、第１配線部６０を介して出力された交流電圧を直流電圧に変換することができる。
【００５５】
（３）第１配線部６０によって接続されていないコイル３０のうち、１つのコイル３０から出力される電圧の実効値よりも大きな実効値となるように選択された複数のコイル３０，３０，・・・を直列に接続する第２配線部９０を設けた。また、第２配線部９０によって接続された複数のコイル３０，３０，・・・から得られる電圧を出力する第２出力部１００を設けた。これにより、第１配線部６０によって配線されたコイル３０から出力される電圧とは別系統の電圧を出力することができる。したがって、第１配線部６０を介して出力される電圧の実効値とは異なる実効値の電圧を、第２配線部９０を介して出力させることで、変圧器を用いずに目的の電圧をもつ電源を得ることができる。逆に、第１配線部６０を介して出力させる電圧の実効値と同じ実効値の電圧を、第２配線部９０を介して出力させることで、位相が異なる同じ電圧の電源を容易に出力させることができる。
【００５６】
（４）第２配線部９０が入力側に接続されることにより、第２配線部９０によって直列に接続されたコイル３０の出力を整流する第２整流器１１０を設けた。これにより、第２配線部９０を介して出力された交流電圧を直流電圧に変換することができる。
（５）第１整流器８０の出力側が第２整流器１１０の出力側と直列に接続されるように構成した。これにより、第１整流器８０によって整流された電圧と、第２整流器１１０によって整流された電圧とを合わせて出力される電圧の実効値を大きくすることができる。したがって、発電機１を増やしたり、大型化したりすることなく、取り出せる電圧の実効値を１つのコイル３０から出力する場合に比べてより大きくすることができる。
【００５７】
以上、本発明の発電機の好ましい一実施形態につき説明したが、本発明は、上述の実施形態に制限されるものではなく、適宜変更が可能である。
例えば、上記実施例において、第１配線部６０及び第２配線部９０のそれぞれは、順巻きのコイル３０と、逆巻きのコイル３０とを交互に直列に接続する例について説明した。これに限らず、第１配線部６０及び第２配線部９０のそれぞれは、順巻きのコイル３０同士や、逆巻きのコイル３０同士や、巻き数の異なるコイル３０を適宜接続するようにしてもよい。要は、第１配線部６０及び第２配線部９０のそれぞれは、コイル３０同士を直列に接続することにより、個々のコイル３０よりも大きな出力を得られるコイル３０を接続すればよい。また、これに伴い、コイル３０の数や、磁石部材５０の数についても適宜決定することができる。
【００５８】
また、図９に示すように、複数の発電機１を軸方向に配置することも可能であり、軸部４１を共通化することも可能である。これにより、複数の発電機１から種々の出力を得ることができる。
【００５９】
また、上記実施形態においては、第１配線部６０及び第２配線部９０のそれぞれが、複数のコイル３０，３０，・・・から選択的に選ばれた２群のコイル３０を直列に接続した。これに限らず、３つ以上の群が選択的に選ばれてもよく、それに合わせて、配線部、出力部、及び、整流器が設けられてもよい。そして、複数の整流器の出力が直列に接続されてもよいことはもちろんである。
【符号の説明】
【００６０】
１  発電機
２０  固定子
３０  コイル
４０  回転子
５０  磁石部材
６０  第１配線部
７０  第１出力部
８０  第１整流器
９０  第２配線部
１００  第２出力部
１１０  第２整流器
【図１】
2018074718.tif 000015
【図２】
2018074718.tif 000016
【図３】
2018074718.tif 000017
【図４】
2018074718.tif 000018
【図５】
2018074718.tif 000019
【図６】
2018074718.tif 000020
【図７】
2018074718.tif 000021
【図８】
2018074718.tif 000022
【図９】
2018074718.tif 000023